(57)【要約】【課題】  屋外用時計といえば、５、６ｍ高さの支柱時計、学校正面の時計、駅の時を知らせる時計、商店街のサービス時計が主で、山林の中、田畑の中、キャンプ場、マラソン大会、グランドゴルフ場等では、感頼り、リーダー頼りで正確な時間がつかめず、その場その場に合った時計もなく不都合であった。。【解決手段】  持ち運び可能、コンパクトにするため、時計部分と脚部分に分離、脚部分は更に伸縮自在とし、よりコンパクトなものとした。更に、この時計部分と脚部分、高さ補充のための予備支柱および地盤が土の場合打ち込む為のミニかなずちを収納するボックスを作成、持ち運び可能とすることにより、どこででも組立使用可能となる。これにより、団体行動をする時、広大な地にいる時、時計を身につけない方が良い人にも、一目瞭然時間が認識できるようになり、よい結果が得られるようになった。【選択図】    図１
2006133207.tif 000002
【特許請求の範囲】
【請求項１】
支柱時計を時計部分と脚部分に分離、コンパクトなものとすることにより、持ち運び可能、どこででも使用可能となる屋外用  組立式  ミニ柱時計。
【発明の詳細な説明】
【技術分野】
【０００１】本発明は持ち運び可能、組立式屋外用ミニ柱時計に関するものである。
【背景技術】
【０００２】  屋外時計といえば、５、６ｍ高さの支柱の上の時計、学校正面に見られる時計、駅の正面に見られる時を知らせる時計、サービス用の商店街の時計であるが、キャンプ場、田畑の中、山林の中、グランドゴルフ場の中、また一般市民、学校などで行われるマラソン大会での途中時間をみる時計、また折り返し地点での時計が見受けられず、腕時計を身に付けていても、小さい時計をスピードをおとし無理に見なければならず、必ずしも賞賛されるものではなく、一般的に感頼り、リーダー頼りである。
【発明の開示】
【発明が解決しようとする課題】
【０００３】  上記、感頼み、リーダー頼み、あまり芳しくない時間感覚をより個人的にも明確なものとし、統一時間を持つことにより団体行動も採りやすく、よりよい計画が立てられ、山林、広い牧場、田畑、キャンプ場、ゲートボール場、マラソン大会等ででも有効に使用できる時計を用意しようとするものである。
【課題を解決するための手段】
【０００４】運搬可能柱時計を用意、時計を身につけていなくても時刻が認知でき、計画が画策でき、更に時計部分と支柱部分とを分離、コンパクトなものとし、持ち手つき収納ケースを用意、持ち運びすることにより、どこででも見られるようにしようするものである。
【発明を実施するための最良の方法】
【０００５】  以下、本発明の実施の形態を図面に基つき詳細に説明する。
【０００６】  まず時計部分に関して、図１のように外形を楕円形とすることにより感じのよいものとし、その中心部に時計部を設置、文字盤には、だれもが一見理解できるようアラビア数字を使用、５分毎に表示、点描によりその間の分を表示、わかりやすい時計とし、夜間でも認知できるよう、文字盤上数字、長針、短針、分点に蛍光塗料を塗装、更に文字盤下部に、団体行動の時の統一時間、アラーム時刻が表示出来るようデジタル表示を、更に屋外用であることを鑑みて、石、棒きれによる破損、また突風による転倒にも耐えられ、ガラス割れがないよう、外郭部肉厚をあつく、強化ガラスを使用、また雨に対し内部保護のため、全面防雨型とし、背部はさらに背部機能操作部が見える透明防水蓋１１を用意、降雨時にも左右されないよう工夫、また時計と支柱棒を接続するため、時計下部中央部に支柱棒取り付け用、凹ネジ溝４を用意、支柱固定ネジ７を解除、支柱棒を回すことにより接続しようとするものである。
【０００７】  時計機能に関して、電源として、長時間の使用にも応じられるよう単２電池を使用、デジタル表示のための機能も内蔵、時計背部は一般の時計と同様時間を調整するためのつまみ部２、電池を収納するためのスペース１、デジタル表示調整のためのボタン３を用意、操作簡単なものとする。
【０００８】  次に支持脚に関して、円筒三脚を使用、参考寸法図、図６より理解いただけるように、１段目を２６５ｍｍとし、その上部１５ｍｍを脚集結部６、図４のごとく凹部に挿入、開閉自在とし、２段目を２９０ｍｍとし、そのうち４０ｍｍは第１段目円筒の中に、脚ささえの為に常時挿入するものとし、第３段目も同様４０ｍｍを２段目円筒中に挿入ささえとし、さらに脚の上下径は一端をもう一つの端より小さく差違をもたせ、差込は出来るが抜け落ちないよう工夫、内にて伸縮自在を可能なものとする。またその固定方法として全体の図より理解いただけるようにミニネジ９による締め付け方法を採用、さらに最下部脚先端を、地盤が土の場合、かなずちで打ち込むことも出来る打ちこみ受けつきくさび状先端１０とし倒れにくいものとする。
【０００９】  支持脚集結部６に関し、図４のごとく、その中央に時計支柱５、を差し入れるための貫通孔を用意、支柱棒５を挿入後抜け落ちないよう棒上部、ねじ山下部に半円形ストッパー１２を、支柱棒最下部に丈夫な蓋１３を使用、また時計の高さを自在に調節するための支柱棒の固形方法としてミニ長身ネジ７を使用、さらに支柱棒上部最先端に時計を取り付ける為の直径２０ｍｍ、高さ１５ｍｍの幅広安定凸ネジを用意、確かに固定保持出来る方法を採用した。
【０００１０】  また高さ不足を補う為にの予備支柱棒１４も用意、上端部は時計接続部に合う凸ネジを、下端部には本体支柱５に接続出来る凹ネジを用意、図４のごとく継ぎ足し可能とした。
【００１１】  また最上部脚先端を図４のように集結台に設けた凹部に収納、図５のようにピンの内側端部に復元力のある鋼材を利用、脚集結部に設けたホールにその接続用ピン先を挿入、復元力により接続する方法を採用、また三脚開きすぎを側縁で阻止、ストッパーとする。また第２、第３の脚に５ｃｍごとに横刻み、線目盛り１５を刻み、三本の脚が同じ高さを保てるようにした。
【００１２】  このように、それぞれの部分を誰もが使いやすいよう工夫することにより馴染みのあるものとなり、時計部分と支柱部分に分離することによりコンパクトなものとなり、持ち運びすることにより、どこにでも設置できる。
【００１３】  さらにミニ柱時計部を上部に、脚部、予備支柱、ミニかなずちを下部に収納出来るボックスを作成、持ち手を付けることにより、保管箱ともなり、整理して他の商品と一緒に遠くにも運搬できる。
【００１４】  以上のように  時計目盛りを一般によく使用するアラビア数字に、支持脚を誰にでも知られている三脚にすることにより、なじみやすいものとなり、また時計文字をローマ数字に、脚のデザインを梯子型に変えることにより、洋風にも、また全体のサイズを大小変化させることにより好みに合ったサイズの屋外用ミニ柱時計に、全体のデザインを古風なものにすることによりエクステリアにも、用途をより大きく拡大することができる。
【発明の効果】
これまでのように感頼み、リーダー頼みだった時間感覚を、このような持ち運び可能、組立式屋外用小型柱時計とすることにより、屋外にて、個人的にはもちろん、団体行動をとるとき全員に時間がわかり、統一もとりやすく、よりよい計画も画策でき、時計をあまりもたない人に、もちにくい人、身につけない方がよい人に、また今まで柱時計が設置できなかった場所にも設置でき、場所を問わず時間が認識でき、その場その場にあった時計が利用できることにより能率も上がり、この持ち運び可能、組立式屋外用柱時計がますます必要となる。
【図面の簡単な説明】
【図１】  持ち運び可能、組立式ミニ柱時計の前面図である。
【図２】  同時計の  背面図である。
【図３】  同時計の  側面図である。
【図４】  同時計の  三脚集結部支柱及び固定ネジの拡大断面図である。
【図５】  同時計の  集結部足止めの拡大断面図である。
【図６】  同時計の  参考寸法図である。
【符号の説明】
１  電池収納スペース
２  時刻調整つまみ
３  デジタルアラーム調整つまみ
４  時計支柱棒接続部
５  支柱棒
６  三脚集結部
７  支柱止めネジ
８  脚
９  脚固定ネジ
１０  くさび形接地部
１１  時計背部防水蓋
１２  支柱抜け止めピン
１３  支柱抜け止め蓋
１４  予備支柱
１５  目盛り
【図１】
2006133207.tif 000003
【図２】
2006133207.tif 000004
【図３】
2006133207.tif 000005
【図４】
2006133207.tif 000006
【図５】
2006133207.tif 000007
【図６】
2006133207.tif 000008